(57)【要約】【課題】簡単な構成でユーザに対し行動に関する必要な情報を出力する。【解決手段】情報処理装置は、少なくとも１種類の声紋データと、複数の文字からなる少なくとも１つの言葉データと、当該言葉データに対応した次の行動に関する情報とを関連付けて格納するためのメモリと、発話の音声を取得するための音声取得手段と、取得された音声から、声紋を抽出するための抽出部１０３と、取得される音声の文字データを取得する発話文字取得部１０４と、抽出された声紋と一致する声紋データに関連付けられた言葉データのうち、発話文字取得部１０４により取得された文字データと一致する言葉データに対応した次の行動に関する情報を、メモリから読出す情報読出部１０５と、情報読出部１０５により読出された情報を出力部に出力させるための情報出力手段と、を備える。【選択図】図３
2014010816.tif 000002
【特許請求の範囲】
【請求項１】
少なくとも１種類の声紋データと、複数の文字からなる少なくとも１つの言葉データと、当該言葉データに対応した次の行動に関する情報とを関連付けて格納するためのメモリと、
発話の音声を取得するための音声取得手段と、
取得された音声から、声紋を抽出するための抽出手段と、
取得された音声の文字データを取得する発話文字取得手段と、
前記抽出手段により抽出された声紋と一致する声紋データに関連付けられた言葉データのうち、前記発話文字取得手段により取得された文字データと一致する言葉データに対応した前記次の行動に関する情報を、前記メモリから読出す情報読出手段と、
前記情報読出手段により読出された情報を出力部に出力させるための情報出力手段と、を備える、情報処理装置。
【請求項２】
音声が取得される時間を計時するための計時手段を、さらに備え、
前記メモリには、さらに、
前記次の行動に関する情報に対応し当該情報が出力されるべき時間を示す時間データが格納され、
前記情報読出手段は、
抽出された前記声紋を示す前記声紋データに関連付けされた前記少なくとも１つの言葉データのうち、前記発話文字取得手段により取得された文字データと一致する言葉データに対応する前記次の行動に関する情報であって、且つ、前記計時手段が計時した時間が、該次の行動に関する情報に対応する前記時間データと一致または範囲内に入っている場合に、該行動に関する情報を読出す、請求項１に記載の情報処理装置。
【請求項３】
前記少なくとも１つの言葉データには、発話者の出発に際し発せられる言葉を示す第１言葉データが含まれ、
前記メモリの前記第１言葉データに対応する前記次の行動に関する情報には、出発に際し携帯するべき携帯物品を示す物品情報が含まれ、
前記情報読出手段は、
前記発話文字取得手段が取得する文字データが前記出発に際し発せられる言葉を示すとき、当該言葉を示す前記第１言葉データに対応する前記物品情報を読出す物品情報読出手段を含む、請求項１または２に記載の情報処理装置。
【請求項４】
前記メモリの前記第１言葉データに対応する前記次の行動に関する情報は、天気または降水確率の少なくとも何れか一方を示す複数種類の天候のそれぞれに対応して当該天候のもとで携帯するべき物品を示す物品情報を含み、
前記音声取得手段により音声が取得されるときの天候、またはその後に予測される天候に関する天候データを取得するための天候取得手段を、さらに備え、
前記物品情報読出手段は、
前記発話文字取得手段が取得する文字データが前記出発に際し発せられる言葉を示すとき、当該言葉を示す前記第１言葉データに対応する前記天候のもとで携帯するべき物品を示す物品情報のうち、前記天候取得手段が取得する天候データによって示される天候の種類に対応する情報を読出す手段を含む、請求項３に記載の情報処理装置。
【請求項５】
前記携帯物品は、携帯端末を含み、
前記情報処理装置は、
前記携帯端末の位置を示す位置情報を取得するための位置取得手段と、
取得される前記位置情報から、前記携帯端末は前記情報処理装置から予め定められた距離以上離れているか否かを判定するための距離判定手段と、をさらに備え、
前記物品情報読出手段は、
前記発話文字取得手段が取得する文字データが前記出発に際し発せられる言葉を示し、且つ前記距離判定手段により離れていると判定されるとき、当該言葉を示す前記第１言葉データに対応する前記携帯端末を含む携帯物品を示す物品情報を読出す手段を含む、請求項３に記載の情報処理装置。
【請求項６】
前記メモリには、前記少なくとも１種類の声紋データのそれぞれについて、さらに通信端末の通信アドレスのデータが格納され、
前記情報処理装置は、さらに、
前記情報出力手段により前記次の行動に関する情報が前記出力部に出力されると、その後、当該次の行動に関する情報に対応する前記声紋データについて前記メモリに格納される前記通信アドレスのデータを用いて、前記通信端末に当該次の行動に関する情報を送信するための情報送信手段を備える、請求項１から５のいずれかに記載の情報処理装置。
【請求項７】
発話者が前記情報処理装置から離れているか否かを検出するための離れ検出手段を、さらに備え、
前記情報送信手段は、
前記情報出力手段により前記次の行動に関する情報が前記出力部に出力されると、その後、前記離れ検出手段により発話者が離れていることが検出されるとき、当該次の行動に関する情報に対応する前記声紋データについて前記メモリに格納される前記通信アドレスのデータを用いて、前記通信端末に当該次の行動に関する情報を送信するための手段を備える、請求項６に記載の情報処理装置。
【請求項８】
前記出力部は、情報を表示するための画面を含み、
前記情報処理装置は、
人の予め定められた動作を検出するための動作検出手段を、さらに備え、
前記情報出力手段は、
前記次の行動に関する情報が前記出力部に出力されるとき、前記動作検出手段により前記予め定められた動作が検出される場合に、当該次の行動に関する情報の出力態様を変更させるための手段を含む、請求項１から７のいずれかに記載の情報処理装置。
【請求項９】
前記メモリには、前記少なくとも１種類の声紋データのそれぞれについて、さらに通信端末の通信アドレスのデータが格納され、
前記情報処理装置は、
前記次の行動に関する情報が前記出力部に出力されるとき前記動作検出手段により前記予め定められた動作が検出されない場合に、当該次の行動に関する情報を、前記抽出された声紋を示す前記声紋データについての前記メモリの前記通信アドレスのデータを用いて、前記通信端末に送信する、請求項８に記載の情報処理装置。
【請求項１０】
前記メモリには、前記少なくとも１種類の声紋データのそれぞれに対応し、さらに人物を識別するための識別データが格納され、
前記情報処理装置は、さらに、
前記次の行動に関する情報が前記出力部に出力されるとき前記動作検出手段により前記予め定められた動作が検出されない場合に、前記メモリに、当該次の行動に関する情報に関連して当該動作が検知されない旨を示す情報を書込む書込手段と、
前記動作が検知されない旨を示す情報が関連付けされた前記次の行動に関する情報と、当該次の行動に関する情報が関連付けされた前記声紋データに対応の前記識別データとを前記メモリから読出し、読出した情報を前記出力部に出力させる手段とを含む、請求項８または９に記載の情報処理装置。
【請求項１１】
前記少なくとも１つの言葉データは、発話者の帰着に際し発せられる言葉を示す第２言葉データを含み、
前記メモリの前記第２言葉データに対応する前記次の行動に関する情報は、伝言の情報を含み、
前記情報読出手段は、
前記発話文字取得手段が取得する文字データが前記帰着に際しに発せられる言葉を示すとき、当該言葉を示す前記第２言葉データに対応する前記伝言の情報を読出す手段を含む、請求項１から１０のいずれかに記載の情報処理装置。
【請求項１２】
メモリから情報を読出す情報処理方法であって、
前記メモリには、少なくとも１種類の声紋データと、複数の文字からなる少なくとも１つの言葉データと、当該言葉データに対応した次の行動に関する情報とが関連付けて格納され、
発話の音声から、声紋を抽出するステップと、
前記発話の音声の文字データを取得するステップと、
前記抽出するステップにおいて抽出された声紋と一致する声紋データに関連付けられた言葉データのうち、前記取得するステップにおいて取得された文字データと一致する言葉データに対応した前記次の行動に関する情報を、前記メモリから読出すステップと、
前記読出すステップにおいて読出された情報を出力部に出力させるステップと、を備える、情報処理方法。
【請求項１３】
メモリから情報を読出す情報処理方法をプロセッサに実行させるためのプログラムであって、
前記メモリには、少なくとも１種類の声紋データと、複数の文字からなる少なくとも１つの言葉データと、当該言葉データに対応した次の行動に関する情報とが関連付けて格納され、
前記プログラムは、前記プロセッサに、
発話の音声から、声紋を抽出するステップと、
前記発話の音声の文字データを取得するステップと、
前記抽出するステップにおいて抽出された声紋と一致する声紋データに関連付けられた言葉データのうち、前記取得するステップにおいて取得された文字データと一致する言葉データに対応した前記次の行動に関する情報を、前記メモリから読出すステップと、
前記読出すステップにおいて読出された情報を出力部に出力させるステップと、を実行させるプログラム。
【発明の詳細な説明】
【技術分野】
【０００１】
本発明は情報処理装置に関し、特に、取得した発話による音声から識別される情報をメモリから読出し提示する情報処理装置に関する。
【背景技術】
【０００２】
従来、ユーザは自己のスケジュールを管理するために携帯電話のスケジュール機能などを使用することが多い。このスケジュール機能によれば、登録された時間に登録された情報を携帯電話からアラームでお知らせするような機能が提供される。
【０００３】
たとえば、特許文献１（特開２０１０−７２６７７号公報）では、ユーザに対する外出時の携行品の忘れ物チェック機能が示される。つまり、端末装置は、複数の予定情報を記憶するスケジュール機能を有し、予定情報それぞれに物品の識別情報を関連付けて記憶し、近接する物品から当該物品に取付られたＩＣタグによる識別情報を取得し、スケジュール機能に記憶されている予定情報を特定し、取得された識別情報を、特定された予定情報に関連付けて記憶されている識別情報と比較し、比較結果に応じた処理を行う。
【先行技術文献】
【特許文献】
【０００４】
【特許文献１】特開２０１０−７２６７７号公報
【発明の概要】
【発明が解決しようとする課題】
【０００５】
特許文献１の端末装置は、ユーザが外出するときに、携行品の忘れ物チェックをし、その結果を提示するが、使い勝手に優れない。つまり、ユーザは持物に予めＩＣタグを付けておく必要がありわずらわしい。また予定情報に関連付けされた識別情報に対応する持物を携行していたとしても当該持物にＩＣタグを付け忘れている場合には、忘れ物としてチェックされることになり、ユーザは混乱してしまう。
【０００６】
それゆえに本発明の目的は、簡単な構成でユーザに対し行動に関する必要な情報を出力する情報処理装置を提供することである。
【課題を解決するための手段】
【０００７】
この発明のある局面に従う情報処理装置は、少なくとも１種類の声紋データと、複数の文字からなる少なくとも１つの言葉データと、当該言葉データに対応した次の行動に関する情報とを関連付けて格納するためのメモリと、発話の音声を取得するための音声取得手段と、取得された音声から、声紋を抽出するための抽出手段と、取得された音声の文字データを取得する発話文字取得手段と、抽出手段により抽出された声紋と一致する声紋データに関連付けられた言葉データのうち、発話文字取得手段により取得された文字データと一致する言葉データに対応した次の行動に関する情報を、メモリから読出す情報読出手段と、情報読出手段により読出された情報を出力部に出力させるための情報出力手段と、を備える。
【０００８】
好ましくは、情報処理装置は、音声が取得される時間を計時するための計時手段を、さらに備える。メモリには、さらに、次の行動に関する情報に対応し当該情報が出力されるべき時間を示す時間データが格納される。情報読出手段は、抽出された声紋を示す声紋データに関連付けされた少なくとも１つの言葉データのうち、発話文字取得手段により取得された文字データと一致する言葉データに対応する次の行動に関する情報であって、且つ、計時手段が計時した時間が、該次の行動に関する情報に対応する時間データと一致または範囲内に入っている場合に、該行動に関する情報を読出す。
【０００９】
好ましくは、少なくとも１つの言葉データには、発話者の出発に際し発せられる言葉を示す第１言葉データが含まれ、メモリの第１言葉データに対応する次の行動に関する情報には、出発に際し携帯するべき携帯物品を示す物品情報が含まれる。情報読出手段は、発話文字取得手段が取得する文字データが出発に際し発せられる言葉を示すとき、当該言葉を示す第１言葉データに対応する物品情報を読出す物品情報読出手段を含む。
【００１０】
好ましくは、メモリの第１言葉データに対応する次の行動に関する情報は、天気または降水確率の少なくとも何れか一方を示す複数種類の天候のそれぞれに対応して当該天候のもとで携帯するべき物品を示す物品情報を含み、音声取得手段により音声が取得されるときの天候、またはその後に予測される天候に関する天候データを取得するための天候取得手段を、さらに備える。物品情報読出手段は、発話文字取得手段が取得する文字データが出発に際し発せられる言葉を示すとき、当該言葉を示す第１言葉データに対応する天候のもとで携帯するべき物品を示す物品情報のうち、天候取得手段が取得する天候データによって示される天候の種類に対応する情報を読出す手段を含む。
【００１１】
好ましくは、携帯物品は、携帯端末を含み、情報処理装置は、携帯端末の位置を示す位置情報を取得するための位置取得手段と、取得される位置情報から、携帯端末は情報処理装置から予め定められた距離以上離れているか否かを判定するための距離判定手段と、をさらに備え、物品情報読出手段は、発話文字取得手段が取得する文字データが出発に際し発せられる言葉を示し、且つ距離判定手段により離れていると判定されるとき、当該言葉を示す第１言葉データに対応する携帯端末を含む携帯物品を示す物品情報を読出す手段を含む。
【００１２】
好ましくは、メモリには、少なくとも１種類の声紋データのそれぞれについて、さらに通信端末の通信アドレスのデータが格納される。情報処理装置は、さらに、情報出力手段により次の行動に関する情報が出力部に出力されると、その後、当該次の行動に関する情報に対応する声紋データについてメモリに格納される通信アドレスのデータを用いて、通信端末に当該次の行動に関する情報を送信するための情報送信手段を備える。
【００１３】
好ましくは、発話者が情報処理装置から離れているか否かを検出するための離れ検出手段を、さらに備える。情報送信手段は、情報出力手段により次の行動に関する情報が出力部に出力されると、その後、離れ検出手段により発話者が離れていることが検出されるとき、当該次の行動に関する情報に対応する声紋データについてメモリに格納される通信アドレスのデータを用いて、通信端末に当該次の行動に関する情報を送信するための手段を備える。
【００１４】
好ましくは、出力部は、情報を表示するための画面を含み、情報処理装置は、人の予め定められた動作を検出するための動作検出手段を、さらに備える。情報出力手段は、次の行動に関する情報が出力部に出力されるとき、動作検出手段により予め定められた動作が検出される場合に、当該次の行動に関する情報の出力態様を変更させるための手段を含む。
【００１５】
好ましくは、メモリには、少なくとも１種類の声紋データのそれぞれについて、さらに通信端末の通信アドレスのデータが格納される。情報処理装置は、次の行動に関する情報が出力部に出力されるとき動作検出手段により予め定められた動作が検出されない場合に、当該次の行動に関する情報を、抽出された声紋を示す声紋データについてのメモリの通信アドレスのデータを用いて、通信端末に送信する。
【００１６】
好ましくは、メモリには、少なくとも１種類の声紋データのそれぞれに対応し、さらに人物を識別するための識別データが格納される。情報処理装置は、さらに、次の行動に関する情報が出力部に出力されるとき動作検出手段により予め定められた動作が検出されない場合に、メモリに、当該次の行動に関する情報に関連して当該動作が検知されない旨を示す情報を書込む書込手段と、動作が検知されない旨を示す情報が関連付けされた次の行動に関する情報と、当該次の行動に関する情報が関連付けされた声紋データに対応の識別データとをメモリから読出し、読出した情報を出力部に出力させる手段とを含む。
【００１７】
好ましくは、少なくとも１つの言葉データは、発話者の帰着に際し発せられる言葉を示す第２言葉データを含み、メモリの第２言葉データに対応する次の行動に関する情報は、伝言の情報を含み、情報読出手段は、発話文字取得手段が取得する文字データが帰着に際しに発せられる言葉を示すとき、当該言葉を示す第２言葉データに対応する伝言の情報を読出す手段を含む。
【００１８】
この発明の他の局面に従う情報処理方法は、メモリから情報を読出す情報処理方法であって、メモリには、少なくとも１種類の声紋データと、複数の文字からなる少なくとも１つの言葉データと、当該言葉データに対応した次の行動に関する情報とが関連付けて格納され、発話の音声から、声紋を抽出するステップと、発話の音声の文字データを取得するステップと、抽出するステップにおいて抽出された声紋と一致する声紋データに関連付けられた言葉データのうち、取得するステップにおいて取得された文字データと一致する言葉データに対応した次の行動に関する情報を、メモリから読出すステップと、読出すステップにおいて読出された情報を出力部に出力させるステップと、を備える。
【００１９】
この発明のさらに他の局面に従うと、メモリから情報を読出す情報処理方法をプロセッサに実行させるためのプログラムが提供される。
【００２０】
メモリには、少なくとも１種類の声紋データと、複数の文字からなる少なくとも１つの言葉データと、当該言葉データに対応した次の行動に関する情報とが関連付けて格納される。プログラムは、プロセッサに、発話の音声から、声紋を抽出するステップと、発話の音声の文字データを取得するステップと、抽出するステップにおいて抽出された声紋と一致する声紋データに関連付けられた言葉データのうち、取得するステップにおいて取得された文字データと一致する言葉データに対応した次の行動に関する情報を、メモリから読出すステップと、読出すステップにおいて読出された情報を出力部に出力させるステップと、を実行させる。
【発明の効果】
【００２１】
本発明によれば、発話による音声から声紋データと発話の音声の文字データが表す言葉データを取得することで発話した人を判別し、メモリに登録された当該言葉が発せられる際にとられるべき当該人物の次の行動に関する情報を出力する。したがって、簡単な構成でユーザに対し行動に関する必要な情報を出力することができる。
【図面の簡単な説明】
【００２２】
【図１】本発明の実施の形態に係る情報処理装置の外観を表わす図である。
【図２】本発明の実施の形態に係る情報処理装置のハードウェア構成を表わすブロック図である。
【図３】本発明の実施の形態に係る情報処理装置が有する機能構成を示す概略図である。
【図４】本発明の実施の形態に係る持物リスト記憶部の情報の一例を示す図である。
【図５】本発明の実施の形態に係る伝言記憶部の情報の一例を示す図である。
【図６】本発明の実施の形態に係る出発時および帰着時の情報の出力例を示す図である。
【図７】本発明の実施の形態に係る情報の登録のための処理フローチャートである。
【図８】本発明の実施の形態に係る情報の出力処理のフローチャートである。
【発明を実施するための形態】
【００２３】
以下、本発明の実施の形態について図面を参照し詳細に説明する。なお、同一の構成要素には各図において同一の符号を付し、詳細な説明は繰返さない。
【００２４】
本発明の実施の形態では、情報処理装置は、ユーザの出発時または帰着時の発話から取得された発話内容に対応する当該発話者の行動に関する情報をメモリから読出し出力する。
【００２５】
＜ハードウェア構成＞
図１および図２を参照して本実施の形態に係る情報処理装置１００の構成について説明する。図１は、情報処理装置１００の外観を表わす図である。図２は情報処理装置１００のハードウェア構成を表わすブロック図である。
【００２６】
情報処理装置１００の機能は、たとえば家庭内のサーバ装置の機能のうちの１つとして提供されてもよく、専用装置として提供されてもよい。
【００２７】
情報処理装置１００は、プロセッサ１０、記憶部を構成するＲＯＭ（Read  Only  Memory）１５、ＲＡＭ（Random  Access  Memory）１６およびＨＤＤ（Hard  Disk  Drive）１７、アンテナ１９を接続する通信部１８およびメモリドライバ２０を含む。プロセッサ１０は、ＣＰＵ１１および時間を計測するためのタイマ１２を有する。
【００２８】
通信部１８は、電話回線による通信のための電話通信部１８１および無線による近距離通信のための近距離通信部１８２を含む。情報処理装置１００は、電話通話部１８１を介し電子メールの送信など、外部ネットワーク(図示せず）を経由した通信をすることができる。
【００２９】
メモリドライバ２０は、外部から着脱自在にＣＤ−ＲＯＭ（Compact  Disk  Read  Only  Memory）２１などの各種の記憶媒体が装着されて、装着された記憶媒体をアクセスすることにより、そこに記憶されたデータを読出すとともに、記憶媒体に対しプロセッサ１０からのデータを書込む。
【００３０】
プロセッサ１０には、タブレット２に関連する表示ドライバ１４が接続されたグラフィックメモリ１３、カメラ４、マイク５およびスピーカ６が接続される。プロセッサ１０は、図示しないがカメラ４が撮像して出力する被写体画像およびマイク５が集音した音声を入力するための入力インターフェイスを有する。入力インターフェイスは、入力する画像および音声についてＡ／Ｄ（Analog／Digital）変換などする機能を有する。また、音声をＤ／Ａ（Digital／Analog）変換しスピーカ６に出力する出力インターフェイスを有する。入力インターフェイスは、マイク５を用いて発話の音声を取得するための音声取得部に相当する。また、出力インターフェイスの機能およびグラフィックメモリ１３に表示用データを書込む機能は、出力部（マイク５、表示部２０２）に情報を出力させるための情報出力部に相当する。
【００３１】
タブレット２は、タッチパネル２０１と表示部２０２を一体的に備える。表示部２０２はＬＣＤ（Liquid  Crystal  Display）パネルなどに相当し、その表示画面上にはタッチパネル２０１が載置される。表示部２０２に対する表示用データはプロセッサ１０によってグラフィックメモリ１３に書込まれ、表示ドライバ１４は、グラフィックメモリ１３の表示用データを用いて表示部２０２を駆動することにより、表示部２０２に表示用データに従う画像を表示させる。表示画面に表示される画像はタッチパネル２０１を介して視認可能な可視画像である。つまり、ユーザは表示部２０２による表示画像を透明部材からなるタッチパネル２０１を介して外部から視認することができる。
【００３２】
カメラ４は、タブレット２の表示部２０２が表示する情報を確認するユーザが位置する方向に撮像方向が向けられている。マイク５は、少なくとも情報処理装置１００周辺の、より特定的にはタブレット２周辺の音声を集音可能な機能を有する。スピーカ６からの音声は、情報処理装置１００周辺に、より特定的にはタブレット２周辺に出力される。
【００３３】
ここでは、カメラ４、マイク５およびスピーカ６はタブレット２と一体的に備えられているが、それぞれ個別に設置されるとしてもよい。
【００３４】
なお、情報処理装置１００には、キーボード３が有線または無線で接続されるとしてもよい。
【００３５】
＜機能構成＞
本実施の形態では、図１に示すタブレット２は、たとえば玄関などに載置されると想定する。情報処理装置１００は、玄関を通って出発する際または玄関を通って外出先から帰着する際のユーザの発話の音声からユーザを識別し、その発話の内容が示す言葉が発せられる際にとられるべき当該ユーザの次の行動に関する情報を出力する。
【００３６】
具体的には、玄関を通って出発する際のユーザの発話の音声からユーザを識別し、その発話の内容が示す言葉（たとえば、「行ってきます」）からユーザに対応の携帯物品を示す物品情報が、タブレット２により表示される。これにより、外出時に忘れ物がないように注意を促す（リマインドする）ことができる。また、玄関を通って外出先から家に帰着する際のユーザの発話の音声からユーザを識別し、その発話の内容が示す言葉（たとえば、「ただいま」）から当該ユーザに対し残されている伝言が、タブレット２により表示される。これにより、帰着時には伝言の確認が促される。
【００３７】
ここでは、発話の内容が示す言葉が発せられる際にとられるべきユーザの次の行動に関する情報として、外出時に携帯すべき物品または帰着時に確認するべき伝言の情報としているが、これら情報に限定されるものではない。
【００３８】
図３は、本発明の実施の形態に係る情報処理装置１００が有する機能構成を示す概略図である。図３では、プロセッサ１０が有する機能と、それら機能に関連する周辺部とを示す。図３のプロセッサ１０が有する機能は、プログラムまたはプログラムと回路の組合せにより実現される。プログラムは、予めＲＯＭ１５などの記憶領域に格納されており、後述のＣＰＵ１１がプログラムを記憶領域から読出し実行することにより、その機能が実現される。
【００３９】
上記の周辺部には、持物リスト記憶部４３１および伝言記憶部４３２が格納されるＲＡＭ１６が含まれる。持物リスト記憶部４３１および伝言記憶部４３２は書換え可能であって、ＲＡＭ１６の不揮発性記憶領域に格納されると想定する。
【００４０】
プロセッサ１０は、タッチパネル２０１の出力から、ユーザ操作による情報処理装置１００に対する入力を受付けるための入力受付部１０１、持物リスト記憶部４３１および伝言記憶部４３２に対し情報の書込を行なうための情報格納部１０２、持物リスト記憶部４３１および伝言記憶部４３２を検索し、これら記憶部から情報を読出すための情報読出部１０５、ならびに情報読出部１０５に対し記憶部の検索に必要なデータを与える検索用データ取得部を含む。
【００４１】
さらに、情報読出部１０５により読出された情報を出力部（表示部２０２またはスピーカ６）に出力させるための情報出力部１１３、情報読出部１０５が読出した情報を外部の通信端末に送信するための情報送信部１１５、持物リスト記憶部４３１に対し後述するチェックデータ６２を書込むための書込部１１６、およびチェックデータ６２に関連付けされた情報を持物リスト記憶部４３１から読出し出力部（表示部２０２またはスピーカ６）により出力させるための関連付情報出力部１１７、動作検出部１１８および離れ検出部１１９を含む。
【００４２】
情報出力部１１３は、表示される情報の出力態様を変更するための出力態様変更部１１４を含む。動作検出部１１８は、情報出力部１１３から情報が出力されるとき人の予め定められた動作を検出する。予め定められた動作は、たとえばタッチパネル２０１をタッチ、または予め定められた内容（たとえば、“持った”の言葉）の発話などである。タッチ動作は、入力受付部１０１を介したタッチパネル２０１からの出力により判定する。また、発話内容は、発話文字取得部１０４から出力される発話内容が示す言葉により判定する。
【００４３】
離れ検出部１１９は発話者であるユーザが情報処理装置１００から、より特定的にはタブレット２から離れつつあるか否かを検出する。
【００４４】
情報読出部１０５は、持物リスト記憶部４３１から物品情報を読出すための物品情報読出部１０６を含む。物品情報読出部１０６は、持物リスト記憶部４３１から天候毎の物品情報を読出すための天候別情報読出部１０７、および伝言記憶部４３２から伝言を示す情報を読出すための伝言情報読出部１０８を有する。
【００４５】
上述の検索用データ取得部は、抽出部１０３、発話文字取得部１０４、距離判定部１０９、位置取得部１１０、天候取得部１１１および計時部１１２を備える。これら各部の詳細は後述する。
【００４６】
本実施の形態では、“天候”とは、天気の種類（晴れ、雨、曇りなど）または降水確率の少なくとも何れか一方を示すものとする。
【００４７】
＜記憶部の情報＞
図４は、本発明の実施の形態に係る持物リスト記憶部４３１の情報の一例を示す図であり、図５は本発明の実施の形態に係る伝言記憶部４３２の情報の一例を示す図である。
【００４８】
図４を参照して持物リスト記憶部４３１は、少なくとも１種類の声紋データ５０と、複数の文字からなる少なくとも１つの言葉データ５１と、言葉データ５１に対応した次の行動に関する情報とを関連付けて記憶する。
【００４９】
より具体的には、１人以上の人物のそれぞれについて、当該人物の音声特徴である声紋を示す声紋データ５０、言葉を表わす１つ以上の言葉データ５１、当該人物の識別データ（名前、ニックネームなどを示すデータ）５２、持物リスト５３、当該持物リストを出力するべき時間を示す日付データ５４および時刻データ５５、サブ持物リスト６０、チェックデータ６２および当該人物が所有する通信端末の通信アドレスのデータ６３を関連付けて記憶する。
【００５０】
持物リスト５３は、対応の人物が言葉データ５１の言葉を発した際に、人物が携帯するべき携帯物品を示す物品情報を示す。サブ持物リスト６０は、対応の人物が言葉データ５１の言葉を発した際に、場合によって当該人物が携帯するべき携帯物品を示す物品情報を示す。距離別持物リスト６１および天候別持物リスト７０を含む。距離別持物リスト６１は、対応する人物が言葉データ５１を示す言葉を発した際に当該人物が携帯するべき１つ以上の端末（以下、携帯端末という）の情報を示す。距離別持物リスト６１は、これら携帯端末と情報処理装置１００とが予め定められた距離以上離れたときに出力される。距離別持物リスト６１の各携帯端末の情報は、当該携帯端末の種類（携帯（携帯電話の略）、防犯ブザーの端末、タブレット端末など）と当該携帯端末の通信用アドレスを含む。
【００５１】
なお、本実施の形態では、ユーザは携帯端末を常時携帯しているものと想定している。したがって、持物リスト５３が示す物品は携帯端末を含まないとするが、含むようにしてもよい。
【００５２】
天候別持物リスト７０は、雨データ７１、注意報データ７２、雪データ７３、低温データ７４を含む。
【００５３】
天候別持物リスト７０のこれらデータは、天候の種類ごとに当該天候のもとで携帯するべき携帯物品の情報（傘、レインコート、長靴など）を示す。つまり、天候の種類に基づいて携帯すべき携帯物品の情報（傘、レインコート、長靴など）を対応付けて記憶するリストである。たとえば、天気の種類が雨ならば、傘などを対応付けて記憶するが、天気の種類に限らず、降水確率に基づいて、「降水確率が何%以上」であるならば、傘などを対応付けておくという記憶の仕方でも構わない。
【００５４】
チェックデータ６２は、持物リスト５３またはサブ持物リスト６０が出力部に出力された場合に、ユーザが出力された情報を確認したことを示す予め定められた動作（タッチパネル２０１へのタッチ、または「持った」という言葉の発話）が検出されたか否かを示すためのものであって、初期値は“Ｆ”（未検出）が格納されるが、予め定められた動作が検出された場合には書込部１１６によりチェックデータ６２の値は“Ｆ”→“Ｔ”に書換えられる。
【００５５】
図５を参照して伝言記憶部４３２は、少なくとも１種類の声紋データ８０と、複数の文字からなる少なくとも１つの言葉データ８１と、言葉データ８１に対応した次の行動に関する情報とを関連付けて記憶する。
【００５６】
より具体的には、１人以上の人物のそれぞれについて、当該人物の音声特徴である声紋を示す声紋データ８０、言葉を表わす１つ以上の言葉データ８１、当該人物の識別データ（名前、ニックネームなどを示すデータ）８２、当該人物に対しての伝言を示す伝言データ８３、当該伝言を残した人の名前などを示す伝言者データ８４および日付データ８５を記憶する。日付データ８５は、対応する伝言データ８３が示す伝言を出力部から出力するべき日付を示す。
【００５７】
図４と図５では、説明のために、持物リスト記憶部４３１と伝言記憶部４３２は別のものとして示されているが、両者は関連付けされている。具体的には、これら２つの記憶部は、図中の実線矢印で示されるような紐付け機能（ポインタＰ１とＰ２などの機能）を用いて、同一人物すなわち同一の声紋を示す声紋データ５０と声紋データ８０とを紐付けする。これにより、１つの声紋データが取得されたとき、持物リスト記憶部４３１および伝言記憶部４３２の両方において、当該声紋データに該当する人物に対応付けされている情報を検索することができる。
【００５８】
＜各機能の説明＞
図４と図５に示した持物リスト記憶部４３１および伝言記憶部４３２を参照しながら、図３に示す各部の機能について説明する。
【００５９】
情報格納部１０２は、入力受付部１０１が受付けたユーザ入力に従う情報を持物リスト記憶部４３１または伝言記憶部４３２に格納する。
【００６０】
抽出部１０３は、集音部であるマイク５により集音された人物の音声から、当該人物に固有の声紋を抽出する機能を有する。たとえば、マイク５により集音した音声から、当該音声が有する周波数に基づき、声紋を抽出する。発話文字取得部１０４は、マイク５が集音した音声から、音声認識により、認識結果を複数の仮名文字からなる文字列に変換する。音声認識により取得された仮名文字列により、マイク５が集音した音声が示す発話の内容を表す言葉が取得される。発話文字取得部１０４は、音声認識の結果が示す仮名文字列と、予め定められた言葉（“行ってきます”、“ただいま”、“持った”など）を表す仮名文字列とを比較することにより、発話の内容が、これら言葉を表すか否かを判定する。なお、上記の予め定められた言葉は、一例であり、これに限定されない。
【００６１】
情報読出部１０５は、抽出された声紋を示す声紋データ５０（または８０）に関連付けされた言葉データ５１（または８１）のうち、発話文字取得部１０４により取得された言葉の文字列に一致する文字列を示す言葉データ５１（または８１）に対応する情報（持物リスト５３、サブ持物リスト６０、伝言データ８３など）を、持物リスト記憶部４３１および伝言記憶部４３２から読出す。
【００６２】
計時部１１２は、マイク５を介して発話の音声が取得される時間をタイマ１２を用いて計時する。物品情報読出部１０６は、抽出部１０３が抽出する声紋を示す声紋データ５０に関連付けされた１つ以上の言葉データ５１のうち、発話文字取得部１０４が取得した発話内容を表す言葉データに対応する持物リスト５３またはサブ持物リスト６０を読出す。また、言葉データに対応して時間データ（日付データ５４および時刻データ５５）が格納されている場合には、計時部１１２が計時した時間を示す時間データに対応する持物リスト５３またはサブ持物リスト６０を読出す。
【００６３】
伝言情報読出部１０８は、抽出部１０３が抽出する声紋を示す声紋データ８０に関連付けされた言葉データ８１のうち、発話文字取得部１０４が取得した発話内容を表す言葉データに対応する伝言データ８３を読出す。また、言葉データに対応して時間データ（日付データ８５）が格納されている場合には、計時部１１２が計時した時間を示す日付データ８５に対応する伝言データ８３を読出す。なお、伝言データ８３とともに対応の伝言者データ８４も読出すようにしてもよい。
【００６４】
これにより、同一の言葉が発せられた場合であっても、その言葉が発せられた時間または天候によって、出力するべき情報を異ならせることができる。たとえば、ユーザが夜勤などシフト勤務に従事している場合には、夕方時間であっても“行ってきます”と発話することから、同一の言葉データであっても、時間によって出力するべき情報を異ならせることは有効である。
【００６５】
（天候に応じた持物情報の提示）
天候別情報読出部１０７は天候取得部１１１からの天候データを用いて天候別持物リスト７０が示す情報を読出す。ここで、天候取得部１１１は、マイク５により発話されたときの音声が集音されるときの予め定めた地域の天候、またはその後に予測される天候に関する天候データを、通信部１８を介して、図示しない外部サーバから取得する。天候別情報読出部１０７は、発話文字取得部１０４が取得する発話内容が表す言葉が出発に際し発せられる言葉（たとえば、“行ってきます”）を示すと判定したとき、当該言葉を示す言葉データ５１に対応する天候別持物リスト７０のうち、天候取得部１１１が取得した天候データが示す天候の種類に対応した情報（雨データ７１〜低温データ７４のいずれか１つ以上）を読出す。なお、予め定めた地域は、情報処理装置１００が位置する出発地域、および目的地を含む。
【００６６】
これにより、発話したユーザが出発しようとしているときに、天候に応じた携帯物品の情報を提示することができる。
【００６７】
（携帯端末の情報提示）
さらに、物品情報読出部１０６は、距離判定部１０９の判定結果に基づき、距離別持物リスト６１による携帯端末の情報を読出す。ここでは、各ユーザの携帯端末は、自己の位置情報をＧＰＳ（Global  Positioning  System）機能を利用して取得し、取得した位置情報を情報処理装置１００に送信すると想定する。
【００６８】
位置取得部１１０は、近距離通信部１８２を介して携帯端末からの位置情報を取得する。取得される位置情報は送信元の当該携帯端末を示すアドレスが付加されている。位置取得部１１０は、当該ユーザの距離別持物リスト６１に登録された携帯端末のアドレスと位置情報に付加されたアドレスを比較することにより、取得する位置情報が当該ユーザの携帯端末から送信されたものか否かを判定する。当該携帯端末から送信されたものと判定すると、位置取得部１１０は位置情報を距離判定部１０９に出力する。
【００６９】
距離判定部１０９は、位置情報から当該携帯端末は情報処理装置１００から予め定められた距離以上離れているか否かを判定する。具体的には、携帯端末の位置情報と情報処理装置１００の予め取得されている位置情報とから、両者間の距離を算出し、算出された距離と予め定められた距離とを比較し、比較結果から、携帯端末は予め定められた距離以上離れているか否を判定し、その判定結果を物品情報読出部１０６に出力する。
【００７０】
物品情報読出部１０６は、対応するユーザについて発話文字取得部１０４が取得した発話内容が表す言葉が出発に際し発せられる言葉（たとえば、“行ってきます”）であって、かつ距離判定部１０９からの判定結果が“予め定められた距離以上離れている”を示す場合は、当該ユーザについての言葉データ５１に対応する距離別持物リスト６１を読出す。
【００７１】
これにより、発話したユーザが出発しようとしているときに、携帯端末が情報処理装置１００から離れていると判定されるとき、すなわちユーザが所持していないときは、出力される携帯物品の情報に携帯端末の情報を含めることができる。これにより、ユーザに携帯端末を忘れている旨の注意を喚起することができる。
【００７２】
（携帯物品情報の転送）
また、情報読出部１０５が読出した情報は出力部を介して出力されるとともに、発話したユーザが所有する通信端末宛てに送信されるようにしてもよい。
【００７３】
情報送信部１１５は、情報読出部１０５により読出された情報が情報出力部１１３により出力部に出力されると、当該情報に対応する人物についての持物リスト記憶部４３１のアドレスのデータ６３を用いて、当該情報を通信部１８を介し人物の通信端末宛てに転送する。これにより、ユーザは、出力部による情報の確認とともに、自己の通信端末を介して情報を確認することができる。
【００７４】
携帯物品情報は、必要に応じてユーザの通信端末に転送されるとしてもよい。つまり、離れ検出部１１９が、発話後において発話者が情報処理装置１００から離れていると検出するときに、情報を転送するとしてもよい。
【００７５】
具体的には、離れ検出部１１９は、カメラ４からの撮像画像データを用いて発話者が情報処理装置１００から離れ続けているか否かを判定する。ここでは、発話者は発話するとき、カメラ４の撮像方向に位置し、その被写体像は十分に撮像範囲に収まるものと想定する。離れ検出部１１９は、マイク５から音声が取得されたときの画像データをカメラ４から入力し、当該画像データから顔特徴（目、鼻、口、眉など）データを用いたパターンマッチングにより部分画像である人の顔画像データを抽出する。これにより、発話者の顔画像データが抽出される。抽出した顔画像データと撮像画像データとを用いて、当該顔画像が撮像範囲外に移動し、その後予め定めた時間経過しても撮像範囲内に戻って来ないことを検出すると、発話者が情報処理装置１００から離れ続けていると判定する。
【００７６】
また、発話者は携帯端末を携帯していると想定する場合には、離れ検出部１１９は、上述したＧＰＳ機能を用いて算出した携帯端末と情報処理装置１００との距離から判定するようにしてもよい。つまり、離れ検出部１１９は、マイク５を介し音声が取得されたときから携帯端末と情報処理装置１００との距離の取得を開始し、取得する距離が時間の経過に伴って大きくなると判定する場合には、発話者が情報処理装置１００から離れ続けていると検出する。
【００７７】
携帯物品情報は、動作検出部１１８が人の予め定められた動作を検出するときに、ユーザの通信端末に情報が転送されるとしてもよい。予め定められた動作は、出力部により出力された携帯物品の情報をユーザが確認したことを表す動作である。たとえば、入力受付部１０１が受付けた入力に基づき、タッチパネル２０１の画面へのタッチ、または物品を携帯したことを表す言葉（たとえば、“持った”）の発話などである。動作検出部１１８は、入力受付部１０１の出力から上記のタッチ動作を検出し、また発話文字取得部１０４から上記の携帯したことを表す言葉（“持った”）の発話を検出する。
【００７８】
情報送信部１１５は、情報出力部１１３によって情報が出力部を介し出力されるとき、動作検出部１１８により上記の予め定められた動作が検出されない場合には、出力される情報を、通信端末に転送する。
【００７９】
なお、予め定められた動作を、上記の発話および画面へのタッチのいずれにするかは、ユーザ毎に予め選択的に指定できるとしてもよい。また、予め定められる動作の種類は、これらに限定されない。
【００８０】
これにより、情報送信部１１５による情報の転送によれば、携帯物品の情報を出力したときにユーザによって出力した情報に対する確認の動作がされないときは、当該情報をユーザの通信端末に転送することで、ユーザが出力された情報を未確認のまま出発したとしても、出先においてユーザに対し情報を提供することができる。具体的には、ユーザは通信端末で転送された情報を表示して確認し、忘れた物に気付いたときは、出先で購入することもできる。
【００８１】
（情報の出力態様の変更）
情報出力部１１３は、携帯物品の情報を出力部により出力させるとき、動作検出部１１８からの出力に基づき、情報の出力態様を変更してもよい。
【００８２】
つまり、動作検出部１１８により予め定められた動作が検出されたときには、出力態様変更部１１４は、画面に表示されている携帯物品の情報の表示態様を変更させる。たとえば、情報を画面から消去する、または反転表示する、または特別なチェックマークを付加して表示する。また、スピーカ６から音声で情報が出力され場合には、たとえば、当該情報の音声出力を停止するなどである。
【００８３】
このように出力態様を変更することにより、ユーザは提示された携帯物品の情報を確認済みであるか、未だ確認していないかを視覚または聴覚で感覚的に知ることができる。
【００８４】
（フォロー処理）
本実施の形態では、出力された携帯物品の情報に対する上記の確認のための予め定められた動作がされたか否かをフォロー（追跡）することができる。フォローするために書込部１１６および関連付情報出力部１１７が用いられる。
【００８５】
具体的には、書込部１１６は、動作検出部１１８からの出力に基づき、出力された携帯物品の情報に対し、上記の予め定められた動作が検出されたと判定した場合には、持物リスト記憶部４３１の当該情報に関連したチェックデータ６２に“Ｔ”に書込む。したがって、上記の予め定められた動作が検出されないと判定された場合には、持物リスト記憶部４３１の当該情報に関連したチェックデータ６２は“Ｆ”のままであり、“Ｔ”に更新されない。
【００８６】
その後、ユーザがタッチパネル２０１を操作してチェックの指令を入力すると、関連付情報出力部１１７は、入力受付部１０１の出力が示す当該指令に基づき、“Ｆ”を示すチェックデータ６２に関連付けされた持物リスト５３（またはサブ持物リスト６０）と識別データ５２とを、持物リスト記憶部４３１から読出し、読出したこれら情報を出力部に出力させる。
【００８７】
このように、ユーザによって確認の動作がされなかった携帯物品の情報については、当該情報が示す携帯物品と識別データ５２が示す名前などを出力部に出力させて確認することができる。これにより、たとえば、母親が、子供が持って行くのを忘れたであろう物品の情報を確認して、当該物品を出先の子供に届けることが可能になる。
【００８８】
この「出力部」による出力方法は、タブレット２の表示部２０２に情報を表示する方法と、通信部１８を介して予め指定されたメールアドレス宛てに情報を送信して通知する方法などを含む。
【００８９】
（伝言情報の出力）
上述の例では、発話の内容が表す言葉が出発に際し発せられる言葉（たとえば、“行ってきます”）の場合に持物リスト記憶部４３１の情報を出力するものであったが、帰着に際し発せられる言葉（たとえば、“ただいま”を示す場合）には、伝言記憶部４３２の伝言の情報が出力される。
【００９０】
情報読出部１０５は、発話文字取得部１０４の出力に基づき取得された発話の内容が帰着時の言葉を示すと判定したときは、伝言情報読出部１０８は、抽出部１０３、発話文字取得部１０４および計時部１１２の出力に基づき伝言記憶部４３２を検索する。検索により、抽出部１０３により取得された発話者の声紋を示す声紋データ８０、発話文字取得部１０４により取得された発話の内容が表す言葉データ８１、および計時部１１２からの出力を示す日付データ８５に関連付けされた伝言データ８３（または伝言データ８３および伝言者データ８４）が伝言記憶部４３２から読出されて、情報出力部１１３に与えられる。情報出力部１１３は、伝言データ８３（または伝言データ８３および伝言者データ８４）を出力部に出力させる。
【００９１】
なお、本実施の形態では、伝言データ８３には日付データ８５が関連付けされており、帰着した日が日付データ８５が示す日を示すときのみ伝言データ８３が出力されるとしているが、伝言データ８３は日付けにかかわらず、帰着時の言葉を表す発話が取得されたときは出力されるとしてもよい。
【００９２】
伝言情報読出部１０８を用いることにより、ユーザが帰着した場合には、当該ユーザに対して残された伝言が出力されることから、伝えるべきメッセージを帰着時のユーザに確実に提示することができる。
【００９３】
図６は、上述した出発時および帰着時の情報の出力例を示す図であるが、この詳細は後述する。
【００９４】
＜データ登録処理＞
図７は、本発明の実施の形態に係る情報の登録のための処理フローチャートである。このフローチャートに従って、情報の登録処理について説明する。
【００９５】
ここでは、情報処理装置１００は複数種類の動作モードを有し、動作モードには、ユーザの操作により、持物リスト記憶部４３１および伝言記憶部４３２に情報を格納するための登録モードを含む。
【００９６】
まず、情報処理装置１００の動作モードが持物リスト記憶部４３１への情報の登録モードに設定されると想定する。
【００９７】
各ユーザはマイク５に向かって発話することにより、声紋データ５０と言葉データ５１が取得される（ステップＳ１）。つまり、抽出部１０３および発話文字取得部１０４は、マイク５で集音された発話の音声から声紋データおよび発話の内容が表す言葉（“行ってきます”など）のデータを取得し、これらを情報格納部１０２に出力する。
【００９８】
また、ユーザはタッチパネル２０１を操作して、自分の名前またはニックネームなどを入力する（ステップＳ３）。入力受付部１０１は入力した情報を情報格納部１０２に出力する。
【００９９】
情報格納部１０２は、抽出部１０３、発話文字取得部１０４および入力受付部１０１からの出力を声紋データ５０、言葉データ５１および識別データ５２と関連付けて、持物リスト記憶部４３１に格納する（ステップＳ５）。
【０１００】
続いて、ユーザはタッチパネル２０１を操作して、さらに情報を入力する（ステップＳ７）。具体的には、出発時に携帯するべき物品の情報を示した持物リスト５３、当該持物リスト５３を提示してほしい日付および時間のデータ５４および５５を入力するとともに、サブ持物リスト６０のためのデータを入力する。さらに、ユーザが所持している携帯端末の通信用のアドレスのデータ６３を入力する。
【０１０１】
情報格納部１０２は、ステップＳ７でユーザが入力するデータを入力受付部１０１を介して受理し、これらデータを持物リスト記憶部４３１において、ステップＳ３で格納した声紋データ５０、言葉データ５１および識別データ５２に関連付けて格納する（ステップＳ９）。これにより、当該ユーザについての持物リスト記憶部４３１におけるデータ５０〜６３が格納されることになる。なお、このときチェックデータ６２には“Ｆ”がセットされる。
【０１０２】
このように、各ユーザについて図７のフローチャートに従って同様にデータの格納が行なわれることにより、持物リスト記憶部４３１が完成する。
【０１０３】
ここでは、持物リスト記憶部４３１のデータの格納動作を示したが、伝言記憶部４３２についても同様にして、ユーザが発話することにより情報格納部１０２は声紋データ８０、言葉データ８１および識別データ８２を格納することができる。そして、伝言記憶部４３２に登録されたユーザに対し伝言を残したい人は、タッチパネル２０１を操作し、当該ユーザの名前と伝言メッセージを入力する。
【０１０４】
情報格納部１０２は、入力受付部１０１を介してユーザの名前と伝言メッセージを入力すると、ユーザの名前に基づき伝言記憶部４３２を検索し、当該ユーザの名前を示す識別データ８２に関連付けて当該伝言メッセージを伝言データ８３として格納する。また、伝言を残したい人は、タッチパネル２０１を操作して自分の名前および伝言を出力させたい日付を入力することで、情報格納部１０２に、伝言者データ８４および日付データ８５を伝言記憶部４３２に格納させることができる。
【０１０５】
本実施の形態では、情報格納部１０２は、タッチパネル２０１を介した入力から、持物リスト記憶部４３１および伝言記憶部４３２の情報を書換（削除・変更・追加など）することもできる。たとえば、外出先から伝言データを格納するようにしてもよい。つまり、情報処理装置１００宛てに外出先から伝言データを送信し、情報処理装置１００の情報格納部１０２は通信部１８を介し伝言データを受信すると伝言記憶部４３２に格納する。
【０１０６】
＜情報の出力処理＞
図８は、本発明の実施の形態に係る情報の出力処理のフローチャートである。ここでは、当該情報処理装置１００のユーザの全てについてマイク５に、持物リスト記憶部４３１および伝言記憶部４３２に対応の情報が登録済みであると想定する。
【０１０７】
なお、本実施の形態ではカメラ４は常時電源ＯＮされており、マイク５および表示部２０２は通常は省電力のために電源ＯＦＦされているが、情報処理装置１００に人物が近付いてきたことが検出されると電源ＯＦＦ→電源ＯＮに切替えられる。その後、持物リスト記憶部４３１または伝言記憶部４３２から読出された情報が出力された後に、マイク５および表示部２０２の電源はＯＦＦされるものとする。
【０１０８】
まず、ＣＰＵ１１は、情報処理装置１００への人の接近を、より特定的にはタブレット２への人の接近を検出する（ステップＳ１１）。具体的には、カメラ４が撮像する時系列の被写体画像から、カメラ４の撮像範囲に人物が入ったか否かを判定する。この判定は、被写体画像に顔特徴（目、鼻、口、眉）などを含む顔画像が検出されるか否かにより行う。
【０１０９】
なお、人物の検知は、カメラ４からの撮像画像を用いるものに限定されず、人感センサにより、人体から放射される赤外線の検知結果を利用して人物の不在→在の変化を判定するようにしてもよい。
【０１１０】
人の接近が検出されない（ステップＳ１１でＮＯ）、ステップＳ１１の処理が繰返されるが、接近を検出すると（ステップＳ１１でＹＥＳ）、ＣＰＵ１１は、マイク５および表示部２０２を電源ＯＮする（ステップＳ１３）。なお、表示部２０２は、予め電源ＯＮされているとしてもよい。
【０１１１】
次に、プロセッサ１０は、マイク５の出力に基づき、音声が入力されたか否かを判定する（ステップＳ１５）。音声が入力されないと判定される（ステップＳ１５でＮＯ）間は、ステップＳ１５の処理が繰返されるが、音声が入力されると判定されると（ステップＳ１５でＹＥＳ）、処理はステップＳ１７に移る。
【０１１２】
抽出部１０３は、マイク５が出力する発話による音声から、声紋データを抽出する（ステップＳ１７）。ＣＰＵ１１は、抽出された声紋データに基づき、持物リスト記憶部４３１および伝言記憶部４３２を検索し、当該声紋データに関連付けられた識別データ５２を読出す（ステップＳ１９）。これにより、当該音声を発した人物を判別することができる。
【０１１３】
続いて、発話文字取得部１０４は、マイク５が出力する発話の音声から、発話の内容が表す言葉データを取得する（ステップＳ２１）。
【０１１４】
続いて、計時部１１２は、発話による音声をマイク５から取得した時間を、タイマ１２を用いて取得する（ステップＳ２３）。
【０１１５】
続いて、情報読出部１０５は、発話文字取得部１０４の出力に基づき、取得された言葉が出発時の言葉（たとえば、“行ってきます”）を示すか否かを判定する（ステップＳ２５）。出発に際して発せられる言葉を示すと判定すると（ステップＳ２５でＹＥＳ）、情報読出部１０５は、持物リスト記憶部４３１を、ステップＳ１７で取得した声紋データ、またはステップＳ１９で判別された識別データ５２に基づき検索し、当該声紋データまたは識別データ５２に関連付けられた情報を読出す。
【０１１６】
具体的には、関連付けされた日付および時刻データ５４および５５が示す時間のうち、ステップＳ２３で取得された時間に該当するものがあるか否かを判定する（ステップＳ２７）。該当する日付および時刻のデータ５４および５５はないと判定される場合には（ステップＳ２７でＮＯ）、後述するステップＳ３１の処理に移る。
【０１１７】
一方、該当する日付および時刻のデータ５４および５５が格納されていると判定すると（ステップＳ２７でＹＥＳ）、情報読出部１０５は、当該日付および時刻のデータ５４および５５に関連付けられた持物リスト５３を読出し情報出力部１１３に与える（ステップＳ２９）。
【０１１８】
天候取得部１１１は天候に関するデータを取得する（ステップＳ３１）。天候別情報読出部１０７は、天候取得部１１１からの出力に基づき持物リスト記憶部４３１の、当該人物のサブ持物リスト６０を検索し、検索により取得した天候に関するデータに対応の天候別持物リスト７０が格納されているか否かを判定する（ステップＳ３３）。
【０１１９】
たとえば、取得された天候に関するデータが、たとえば“晴天”を示す場合には、図５の持物リスト記憶部４３１によれば天候別持物リスト７０は格納されていないことになるので（ステップＳ３３でＮＯ）、そのような場合には処理はステップＳ３７に移る。
【０１２０】
なお、このとき物品情報読出部１０６により距離別持物リスト６１が読出されるとしてもよい。距離別持物リスト６１が読出された場合の出力例が図６の（Ａ）に示される。この出力例では、“行ってきます”と発話したユーザに対し、距離別持物リスト６１による物品が出力されている。
【０１２１】
一方、取得した天候に関するデータが、たとえば“雨”を示す場合には、図５の持物リスト記憶部４３１によれば天候別持物リスト７０の雨データ７１が読出される（ステップＳ３３でＹＥＳ、ステップＳ３５）。読出された天候別持物リスト７０は、情報出力部１１３に与えられる。
【０１２２】
情報出力部１１３は、情報読出部１０５からの天候別情報読出部１０７を含む情報を出力部に出力させ（ステップＳ３７）。具体的には、情報読出部１０５からの情報を表示用データに変換しグラフィックメモリ１３に書込む、またはスピーカ６を介して音声により出力させる。これにより、携帯物品を示す情報が、表示用データとして表示部２０２に表示されるとともに、スピーカ６から音声で出力される（ステップＳ３７）。
【０１２３】
このときの出力例が図６の（Ｂ）に示される。出力例では、“行ってきます”と発話したユーザに対し持物リスト５３とともに天候別持物リスト７０として“傘”が出力されている。また、図６の（Ｃ）では、図６の（Ｂ）のように出力された情報を確認したユーザが、情報出力に対する応答として“持った”と発話した状態が示される。
【０１２４】
ステップＳ２５の処理に戻る。取得された発話の内容が表す言葉が“行ってきます”を示さないと判定されると（ステップＳ２５でＮＯ）、情報読出部１０５は、発話文字取得部１０４の出力に基づき、当該言葉が帰着時に発せれる言葉（たとえば“ただいま”）を表すか否かがを判定する（ステップＳ３９）。
【０１２５】
帰着時の言葉ではないと判定されると（ステップＳ３９でＮＯ）、その他の音声処理が行なわれ（ステップＳ４７）、ステップＳ１５の処理に戻る。
【０１２６】
ここで、その他の音声処理としては、たとえば、“この言葉は登録されていません”などのメッセージ出力を含む。
【０１２７】
一方、情報読出部１０５が、発話文字取得部１０４の出力に基づき発話内容が表す言葉は帰着時に発せられる言葉（たとえば、“ただいま”）であると判定すると（ステップＳ３９でＹＥＳ）、伝言情報読出部１０８は、伝言記憶部４３２をステップＳ１７で取得した声紋データ、またはステップＳ１９で判別された名前データに基づき検索し、当該声紋データまたは名前データに関連付けられた情報を読出す。
【０１２８】
具体的には、関連付けされた日付データ８５が示す日付のうち、ステップＳ２３で取得された時間に該当する日付を示すものがあるか否かを判定する（ステップＳ４１）。ないと判定されると（ステップＳ４１でＮＯ）、処理は終了するが、格納されていると判定すされると（ステップＳ４１でＹＥＳ）、伝言情報読出部１０８は、伝言記憶部４３２から対応する伝言データ８３（または伝言データ８３および伝言者データ８４）を読出し、読出したデータを情報出力部１１３に与える（ステップＳ４３）。
【０１２９】
情報出力部１１３は、伝言情報読出部１０８から出力される伝言データ８３などを、表示用データに変換しグラフィックメモリ１３に格納し、またはスピーカ６から音声として出力させる（ステップＳ４５）。これにより、帰着したユーザに対する伝言が表示部２０２に表示され、またはスピーカ６から音声出力される。
【０１３０】
このときの出力例が図６の（Ｄ）に示される。出力例では、“ただいま”と発話したユーザに対し伝言が出力されている。
【０１３１】
（実施の形態による効果）
本実施の形態によれば、発話による音声から声紋データを取得することで発話した人を判別し、事前に持物リスト記憶部４３１に登録されたそれぞれに適切・必要な出発時に携帯するべき物品情報を自動的にお知らせできるから、忘れ物を防止することができる。
【０１３２】
さらには、天気予報など、外部から取得する天候の予測情報から携帯するべき物品情報を提示することにより、出先で天候に応じた快適な生活を送ることが可能となる。
【０１３３】
また、情報処理装置１００による情報出力機能を子供向けに使用する際には、保護者が不在であっても、必要な情報を提供することが可能になり、子供に対し忘れ物がないかの注意を促すことができる。
【０１３４】
また、音声認識を採用することで、立ち位置などの場所を限定されずに、人の認識が可能になる。たとえば、顔認証の場合のように、カメラに顔を向けなければ認証されないといったような限定条件を外すことができ使い勝手に優れる。
【０１３５】
［他の実施の形態］
上述した実施の形態では、各フローチャートに従うプログラムは予めＲＯＭ１５に格納されており、ＣＰＵ１１が当該プログラムをＲＯＭ１５から読出し実行するが、このようなプログラムは、情報処理装置１００に付属するＣＤ−ＲＯＭ２１などのように、プロセッサ１０のＣＰＵ１１が読取り可能な一時的ではない記録媒体に記録させて、プログラム製品として提供することもできる。あるいは、図示しないネットワークを介してアンテナ１９及び通信部１８を介して受信しＲＡＭ１６またはＨＤＤ１７の記憶領域へのダウンロードによって、プログラムを提供することもできる。
【０１３６】
提供されるプログラム製品は、プログラム自体と、プログラムが記録された記録媒体とを含む。
【０１３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３８】
２  タブレット、４  カメラ、５  マイク、６  スピーカ、１０  プロセッサ、１２  タイマ、１３  グラフィックメモリ、１４  表示ドライバ、５０，８０  声紋データ、５１，８１  言葉データ、５２，８２  識別データ、５３  持物リスト、５４  日付データ、５５  時刻データ、６０  サブ持物リスト、６１  距離別持物リスト、６２  チェックデータ、７０  天候別持物リスト、８３  伝言データ、８４  伝言者データ、１００  情報処理装置、１０１  入力受付部、１０２  情報格納部、１０３  抽出部、１０４  発話文字取得部、１０５  情報読出部、１０６  物品情報読出部、１０７  天候別情報読出部、１０８  伝言情報読出部、１０９  距離判定部、１１０  位置取得部、１１１  天候取得部、１１２  計時部、１１３  情報出力部、１１４  出力態様変更部、１１５  情報送信部、１１６  書込部、１１７  関連付情報出力部、１１８  動作検出部、１１９  離れ検出部、２０２  表示部、４３１  持物リスト記憶部、４３２  伝言記憶部。
【図１】
2014010816.tif 000003
【図２】
2014010816.tif 000004
【図３】
2014010816.tif 000005
【図４】
2014010816.tif 000006
【図５】
2014010816.tif 000007
【図６】
2014010816.tif 000008
【図７】
2014010816.tif 000009
【図８】
2014010816.tif 000010